(57)【要約】  建物に複数のエレベーターバンクが存在する場合に、各バンクの混雑状況に応じて、エレベーター利用者を適切に誘導することができるエレベーターシステムを提供する。  本システムは、建物の所定の階床に設けられた乗場表示器と、バンク負荷判定手段とを備える。乗場表示器は、所定のバンクのエレベーター乗場に配置される。バンク負荷判定手段は、乗場表示器が設置された階床の各エレベーターのかご内負荷率を運転方向毎に管理し、その階床の各バンクの混雑状況を運転方向毎に判定する。また、バンク負荷判定手段は、乗場表示器を備えたバンクが所定の運転方向で混雑し、且つ、同一運転方向で混雑していない他のバンクが存在する場合は、上記乗場表示器に、混雑している運転方向と他のバンクへの案内図とを表示させる。
2012147160.tif 000002
【特許請求の範囲】
【請求項１】
複数のエレベーターバンクが存在する建物において、利用者を誘導するためのエレベーターシステムであって、
前記建物の所定の階床に設けられ、所定のバンクのエレベーター乗場に配置された乗場表示器と、
前記乗場表示器が設置された階床の各エレベーターのかご内負荷率を運転方向毎に管理し、その階床の各バンクの混雑状況を運転方向毎に判定するバンク負荷判定手段と、
を備え、
前記バンク負荷判定手段は、前記乗場表示器を備えたバンクが所定の運転方向で混雑し、且つ、同一運転方向で混雑していない他のバンクが存在する場合は、前記乗場表示器に、混雑している運転方向と前記他のバンクへの案内図とを表示させるエレベーターシステム。
【請求項２】
前記バンク負荷判定手段は、前記乗場表示器を備えたバンクが所定の運転方向で混雑し、且つ、同一運転方向で混雑していない他のバンクが存在しない場合は、前記乗場表示器に、混雑している運転方向と前記建物内の階段或いはエスカレーターへの案内図とを表示させる請求項１に記載のエレベーターシステム。
【請求項３】
前記乗場表示器は、所定のバンクにおいて、各階床のエレベーター乗場に設けられ、
前記バンク負荷判定手段は、前記乗場表示器を備えたバンクが、所定の運転方向で、連続する複数の階床に渡って混雑する場合は、同一運転方向で混雑していない他のバンクが同一階床に存在する場合であっても、混雑が始まる階床の前記乗場表示器には、混雑している運転方向と前記他のバンクへの案内図とを表示させない請求項１又は請求項２に記載のエレベーターシステム。
【請求項４】
前記バンク負荷判定手段は、同一バンク内のエレベーターのかご内負荷率が、同一階床の一方の運転方向で全て所定値以上であり、且つ、その状態が所定時間継続した場合に、そのバンクのその階床について、前記一方の運転方向で混雑していることを判定する請求項１から請求項３の何れかに記載のエレベーターシステム。
【請求項５】
前記バンク負荷判定手段は、前記乗場表示器を備えたバンクが所定の運転方向で混雑し、且つ、同一階床及び同一運転方向でかご内負荷率が所定値未満である他のバンクが存在する場合に、前記乗場表示器に、混雑している運転方向と前記他のバンクへの案内図とを表示させる請求項４に記載のエレベーターシステム。
【発明の詳細な説明】
【技術分野】
【０００１】
この発明は、複数のエレベーターバンクが存在する建物において、利用者を適切に誘導するためのエレベーターシステムに関するものである。
【背景技術】
【０００２】
下記特許文献１及び２には、エレベーターの利用者を誘導するためのシステムが開示されている。
特許文献１に記載のシステムでは、エレベーターの乗場に通じる通路に、表示装置を設置している。また、このシステムでは、登録された呼びの数に応じて、エレベーターの混雑状況を検出している。エレベーターが混雑していることが検出された場合は、表示装置にその情報を表示して、利用者を階段がある方向に誘導している。【０００３】
特許文献２に記載のシステムでは、群管理されているエレベーターの各乗場出入口近傍に、表示装置を設置している。表示装置には、対応するエレベーターの運転状況が表示される。エレベーターの利用者は、表示装置の表示内容を見て、どのエレベーターを利用したら良いのかを判断することができる。
【先行技術文献】
【特許文献】
【０００４】
【特許文献１】日本特開昭５８−３１８７８号公報
【特許文献２】日本特開平８−２６６０９号公報
【発明の概要】
【発明が解決しようとする課題】
【０００５】
複数のエレベーターバンクが存在する百貨店のような建物では、例えば、催し物が行われると、バンク間で利用者の数に偏りが生じてしまう。特許文献１及び２に記載のシステムでは、このような場合に利用者を適切に誘導することができなかった。例えば、建物内で催し物が開催された場合、特定のバンクでは、催し物の開始直前と終了直後とに、利用者数が急増する。このため、ロビー階と催し物の会場となる階との間の階では、利用者が乗場で長時間待たされることがあった。【０００６】
なお、特許文献１に記載のものでは、登録された呼びの数に応じてエレベーターが混雑しているか否かを判定している。このため、かご内の混雑状況を正確に把握することができなかった。また、利用者は、表示装置の表示内容から、どちらの運転方向が混雑しているのか、階段がどこにあるのかといった具体的内容を把握することができなかった。【０００７】
この発明は、上述のような課題を解決するためになされたもので、その目的は、建物に複数のエレベーターバンクが存在する場合に、各バンクの混雑状況に応じて、エレベーター利用者を適切に誘導することができるエレベーターシステムを提供することである。
【課題を解決するための手段】
【０００８】
この発明に係るエレベーターシステムは、複数のエレベーターバンクが存在する建物において、利用者を誘導するためのエレベーターシステムであって、建物の所定の階床に設けられ、所定のバンクのエレベーター乗場に配置された乗場表示器と、乗場表示器が設置された階床の各エレベーターのかご内負荷率を運転方向毎に管理し、その階床の各バンクの混雑状況を運転方向毎に判定するバンク負荷判定手段と、を備え、バンク負荷判定手段は、乗場表示器を備えたバンクが所定の運転方向で混雑し、且つ、同一運転方向で混雑していない他のバンクが存在する場合は、乗場表示器に、混雑している運転方向と他のバンクへの案内図とを表示させるものである。
【発明の効果】
【０００９】
この発明によれば、建物に複数のエレベーターバンクが存在する場合に、各バンクの混雑状況に応じて、エレベーター利用者を適切に誘導することができる。
【図面の簡単な説明】
【００１０】
【図１】この発明の実施の形態１におけるエレベーターシステムを示す構成図である。
【図２】バンク負荷判定装置の機能を説明するための図である。
【図３】この発明の実施の形態１におけるエレベーターシステムの動作を示すフローチャートである。
【図４】乗場表示器の表示例を示す図である。
【図５】この発明の実施の形態２におけるエレベーターシステムの動作を示すフローチャートである。
【発明を実施するための形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエレベーターシステムを示す構成図である。本システムは、複数のエレベーターバンクが存在する建物に適用される。本実施の形態では、Ａ乃至Ｃに示す３つのバンクが建物に存在する場合を例に、説明を行う。
【００１３】
図１において、１は複数台のエレベーターを一群として管理する群管理装置である。本システムには、バンクの数に対応して、３台の群管理装置１が備えられている。
以下の説明においては、各バンクの構成を個別に特定する必要がある場合、符号の後にＡ乃至Ｃの何れかを付して表記する。例えば、バンクＡの群管理装置は１Ａ、バンクＢの群管理装置は１Ｂ、バンクＣの群管理装置は１Ｃと表記する。他の構成についても同様である。
【００１４】
２は群管理装置１によって管理される制御装置である。制御装置２は、エレベーターの運行を制御する。本実施の形態では、各バンクに３台のエレベーターが備えられている。即ち、各群管理装置１は、３台のエレベーター（の制御装置２）を管理する。
以下の説明においては、制御装置２を個別に特定する必要がある場合、バンク記号の後に号機番号を付して表記する。例えば、バンクＡの１号機のエレベーターの制御装置は２Ａ１、バンクＢの２号機の制御装置は２Ｂ２、バンクＣの３号機の制御装置は２Ｃ３と表記する。
【００１５】
各制御装置２には、負荷率演算手段３、通信制御手段４、表示制御手段５が備えられている。
負荷率演算手段３は、対応するエレベーターのかご内の負荷率を演算する。負荷率演算手段３は、かごが乗場に停止すると、かごに乗降する人数を検出し、かご内にいる人の数を特定する。乗降者数の検出は、例えば、かご内カメラからの映像、ドアセンサや秤装置の計測結果に基づいて行う。負荷率演算手段３は、特定したかご内人数とかごの定員とから、かご内負荷率を算出する。
【００１６】
通信制御手段４は、かごが各階を通過する際に、後述のバンク負荷判定装置７にかご負荷情報を送信する。かご負荷情報には、負荷率演算手段３によって演算されたかご内負荷率と、その時の運転方向（かごの移動方向）とが含まれる。例えば、かごが乗場を通過する場合、通信制御手段４は、かごがその乗場の着床位置（高さ）に達した際に、かご負荷情報をバンク負荷判定装置７に送信する。かごが乗場に停止する場合、通信制御手段４は、かごがその乗場から出発する際に、かご負荷情報をバンク負荷判定装置７に送信する。
【００１７】
６はエレベーターの乗場に設けられた乗場表示器である。乗場表示器６は、各エレベーターの各乗場に設置されている。表示制御手段５は、対応するエレベーターの乗場表示器６の表示を制御する。
【００１８】
以下の説明においては、乗場表示器６を個別に特定する必要がある場合、バンク記号と号機番号との後に、階床記号を付して表記する。本実施の形態では、建物の全ての階床（１Ｆ〜８Ｆ）に乗場表示器６を設置している。例えば、建物の２階（２Ｆ）に設置された乗場表示器のうち、バンクＡの１号機の乗場に配置されたものは６Ａ１−２Ｆ、バンクＡの２号機の乗場に配置されたものは６Ａ２−２Ｆと表記する。同様に、建物の８階（８Ｆ）に設置された乗場表示器のうち、バンクＣの３号機の乗場に配置されたものは６Ｃ３−８Ｆと表記する。
【００１９】
バンク負荷判定装置７は、各バンクの混雑状況を、階床毎及び運転方向毎に判定する。バンク負荷判定装置７は、各群管理装置１に接続されており、対応の群管理装置１を経由して、各制御装置２の通信制御手段４からかご負荷情報を受信する。
【００２０】
バンク負荷判定装置７には、記憶手段８、判定手段９、表示指令手段１０が備えられている。
図２はバンク負荷判定装置の機能を説明するための図である。記憶手段８には、図２に示すように、各エレベーターのかご内負荷率が、階床毎及び運転方向毎に記憶されている。バンク負荷判定装置７は、通信制御手段４からかご負荷情報を受信すると、記憶手段８に記憶されている対応のかご内負荷率を更新して、その値を常に最新の状態にしておく。
【００２１】
判定手段９は、記憶手段８で管理されているかご内負荷率に基づいて、各バンクの混雑状況を、階床毎及び運転方向毎に判定する。判定手段９は、例えば、バンク内のエレベーターのかご内負荷率が、同一階床の一方の運転方向で全て所定値以上であり、且つ、その状態が所定時間継続した場合に、そのバンクのその階床について、上記一方の運転方向で混雑している（所定の混雑状態である）ことを判定する。
【００２２】
表示指令手段１０は、乗場表示器６に所定の内容を表示させるための指令（表示指令）を出力する。表示指令手段１０は、判定手段９の判定結果に応じて、適切な内容の表示指令を出力する。各制御装置２の表示制御手段５は、表示指令手段１０から表示指令を受信すると、対応の乗場表示器６に、その受信内容に応じた表示を行わせる。
【００２３】
次に、図３及び図４も参照し、上記構成を有するエレベーターシステムの動作について説明する。図３はこの発明の実施の形態１におけるエレベーターシステムの動作を示すフローチャート、図４は乗場表示器の表示例を示す図である。
【００２４】
各制御装置２では、対応のかごが階床を通過する際に、通信制御手段４がバンク負荷判定装置７に対してかご負荷情報を送信する。バンク負荷判定装置７では、かご負荷情報を受信すると（Ｓ１０１）、その受信内容に基づいて、記憶手段８に記憶されているかご内負荷率の更新を行う。
【００２５】
判定手段９は、バンク負荷判定装置７がかご負荷情報を受信すると、その受信したかご内負荷率が高いか否かを判定する（Ｓ１０２）。例えば、判定手段９は、受信したかご内負荷率が所定値（例えば、８０％）以上である場合に、その階床及びその運転方向のかご内負荷率が高いことを検出する。
【００２６】
判定手段９によってかご内負荷率が低い（例えば、８０％未満）と判定された場合（Ｓ１０２のＮｏ）、そのエレベーターの表示制御手段５は、当該階床に設置された乗場表示器６の表示を特に変更しない。それまでの乗場表示器６の表示が通常の内容であれば、表示制御手段５は、その通常表示を継続させる（Ｓ１０３）。例えば、バンクＡの１号機の２階のかご内負荷率が下方向で１０％であれば（図２参照）、制御装置２Ａ１の表示制御手段５は、乗場表示器６Ａ１−２Ｆに所定の通常内容を表示させる。かかる場合、表示指令手段１０は、制御装置２Ａ１に所定の表示指令を出力しても良いし、出力しなくても良い。
【００２７】
通信制御手段４から受信したかご内負荷率が高い場合（Ｓ１０２のＹｅｓ）、判定手段９は、そのバンク内の同一階床において、同一運転方向のかご内負荷率が全て高い（例えば、８０％以上）か否かを判定する（Ｓ１０４）。上記同一運転方向のかご内負荷率の中に低い（例えば、８０％未満）ものが存在する場合（Ｓ１０４のＮｏ）、そのエレベーターの表示制御手段５は、当該階床に設置された乗場表示器６の表示を特に変更しない（Ｓ１０３）。
【００２８】
例えば、バンクＢの３号機の２階のかご内負荷率が下方向で８０％であれば（図２参照）、判定手段９は、かご内負荷率が高いと判定する（Ｓ１０２のＹｅｓ）。バンクＢの２階の他号機のかご内負荷率は、１号機は下方向で５０％、２号機は下方向で４０％である。かかる場合、上記他号機の中にかご内負荷率が低いものが存在するため、制御装置２Ｂ３の表示制御手段５は、乗場表示器６Ｂ３−２Ｆの表示を変更しない。例えば、制御装置２Ｂ３の表示制御手段５は、乗場表示器６Ｂ３−２Ｆに、それまでと同様に通常の内容を表示させる。
【００２９】
バンク内の同一階床において、同一運転方向のかご内負荷率が全て高い（以下、かかる状態を「高負荷状態」ともいう）場合（Ｓ１０４のＹｅｓ）、判定手段９は、その高負荷状態が長時間継続しているか否かを判定する（Ｓ１０５）。例えば、判定手段９は、上記高負荷状態が所定の時間（例えば、１５分）以上継続している場合に、そのバンクの当該階床が、上記運転方向で混雑していることを検出する。
【００３０】
判定手段９によって当該階床が混雑していないと判定された場合（Ｓ１０５のＮｏ）、そのエレベーターの表示制御手段５は、当該階床に設置された乗場表示器６の表示を特に変更しない（Ｓ１０３）。
【００３１】
例えば、バンクＡの１号機の７階のかご内負荷率が下方向で９０％であれば（図２参照）、判定手段９は、かご内負荷率が高いと判定する（Ｓ１０２のＹｅｓ）。バンクＡの７階の他号機のかご内負荷率は、２号機及び３号機とも下方向で９０％である。このため、判定手段９は、バンクＡにおいて７階の下方向が高負荷状態であると判定する。しかし、この高負荷状態が１５分以上継続していなければ、判定手段９は、バンクＡの７階が下方向で混雑していないと判定する。かかる場合、制御装置２Ａ１乃至２Ａ３の各表示制御手段５は、乗場表示器６Ａ１−７Ｆ、６Ａ２−７Ｆ、６Ａ３−７Ｆの表示を変更しない。例えば、制御装置２Ａ１の表示制御手段５は、乗場表示器６Ａ１−７Ｆに、それまでと同様に通常の内容を表示させる。
【００３２】
バンク内のある階床が所定の運転方向で混雑している場合（Ｓ１０５のＹｅｓ）、判定手段９は、同一の階床及び同一の運転方向で、かご内負荷率の低いエレベーターが存在する他のバンクがあるか否かを判定する（Ｓ１０６）。
【００３３】
上記例において、バンクＡの７階で下方向の高負荷状態が１５分以上継続している場合、判定手段９は、バンクＡの７階で下方向が混雑していることを判定する（Ｓ１０５のＹｅｓ）。他のバンクの同一階床及び同一運転方向のかご内負荷率は、例えば、バンクＢの１号機は８０％、バンクＣの１号機は３０％である。即ち、バンクＣ（他のバンク）には、かご内負荷率が低いエレベーターが存在する（Ｓ１０６のＹｅｓ）。かかる場合、制御装置２Ａ１乃至２Ａ３の各表示制御手段５は、乗場表示器６Ａ１−７Ｆ、６Ａ２−７Ｆ、６Ａ３−７Ｆに、その階床で混雑が発生している運転方向と、かご内負荷率が低いエレベーターが存在するバンクＣへの案内図とを表示させる（Ｓ１０７）。
【００３４】
図４は、この時の乗場表示器６Ａ１−７Ｆの表示例を示している。図４に示す１１は、建物の７階に設置されたバンクＡの１号機の乗場ドア、１２は乗場ドア１１の近傍に設けられた乗場釦である。乗場表示器６Ａ１−７Ｆには、建物の７階の平面図が表示され、現在地（バンクＡ）からバンクＣまでの道順を示す矢印が、上記平面図に重ねて表示されている。また、乗場表示器６Ａ１−７Ｆには、バンクＡで混雑している運転方向が、上記平面図の下に、文字によって表示されている。
乗場表示器６Ａ１−７Ｆの表示を見た利用者は、バンクＣが空いていることを理解し、バンクＣに移動することができる。
【００３５】
一方、上記例において、バンクＣの全てのエレベーターにおいて、７階の下方向のかご内負荷率が８０％以上であった場合は、他のバンクに、かご内負荷率が低いエレベーターは存在しない（Ｓ１０６のＮｏ）。かかる場合、制御装置２Ａ１乃至２Ａ３の各表示制御手段５は、乗場表示器６Ａ１−７Ｆ、６Ａ２−７Ｆ、６Ａ３−７Ｆに、その階床で混雑が発生している運転方向と、建物内の階段或いはエスカレーターへの案内図とを表示させる（Ｓ１０８）。例えば、乗場表示器６Ａ１−７Ｆに、建物の７階の平面図を表示し、現在地（バンクＡ）からエスカレーターまでの道順を示す矢印を、上記平面図に重ねて表示する。また、乗場表示器６Ａ１−７Ｆに、バンクＡで混雑している運転方向を、上記平面図の下に、文字によって表示する。
【００３６】
なお、図３に示す処理は、所定の周期で各かご内負荷率について実施しても良い。
また、上記Ｓ１０６では、判定手段９は、同一の階床及び同一の運転方向で、混雑していない他のバンクがあるか否かを判定しても良い。
【００３７】
上記構成を有するエレベーターシステムであれば、建物に複数のエレベーターバンクが存在する場合に、各バンクの混雑状況に応じて、エレベーター利用者を適切に誘導することができる。特に、運転方向別に各バンクの混雑状況を検出しているため、一方の運転方向にのみ混雑が発生している時に逆方向の利用者を他のバンクに誘導してしまうことはなく、サービス性が低下する恐れもない。また、全てのバンクが混雑している（負荷が高い）場合は、利用者を階段やエスカレーターの設置場所に適切に誘導することができる。
【００３８】
本実施の形態では、バンク負荷判定装置７を各群管理装置１に接続している。しかし、これは一例を示したものであり、バンク負荷判定装置７の各機能を群管理装置１に備えさせても良い。かかる場合は、バンク負荷判定装置７として独立の機器を設置する必要がない。
また、本実施の形態では、乗場表示器６を各エレベーターの各乗場に設置しているが、
乗場表示器６を各階床の各バンクに設置しても、同様の効果を得ることは可能である。
【００３９】
実施の形態２．
図５はこの発明の実施の形態２におけるエレベーターシステムの動作を示すフローチャートである。以下に、図５を参照し、本実施の形態におけるエレベーターシステムの動作について説明する。システム構成は、図１に示すものと同じである。
【００４０】
Ｓ２０１乃至Ｓ２０６に示す処理は、図３のＳ１０１乃至Ｓ１０６に示す処理と同じである。
Ｓ２０６において、同一の階床及び同一の運転方向で、かご内負荷率の低いエレベーターが存在する他のバンクがある場合、判定手段９は、当該バンクにおいて、混雑している階床（混雑階）が同一運転方向で連続しているか否かを判定する（Ｓ２０７）。例えば、バンクＡの７階で下方向の高負荷状態が１５分以上継続し、バンクＣ（他のバンク）の７階に、下方向でかご内負荷率が低いエレベーターが存在する場合（図２参照）、判定手段９は、バンクＡの７階の上方階及び下方階において、下方向が混雑しているか否かを判定する。
【００４１】
図２に示す例において、バンクＡの８階及び６階で下方向の高負荷状態が１５分以上継続している場合、６階乃至８階が、連続する混雑階に該当する（Ｓ２０７のＹｅｓ）。かかる場合、制御装置２Ａ１乃至２Ａ３の各表示制御手段５は、６階及び７階に設置された乗場表示器６（６Ａ１−６Ｆ、６Ａ２−６Ｆ、６Ａ３−６Ｆ、６Ａ１−７Ｆ、６Ａ２−７Ｆ、６Ａ３−７Ｆ）に、その階床で混雑が発生している運転方向と、かご内負荷率が低いエレベーターが存在するバンクＣへの案内図とを表示させる。一方、制御装置２Ａ１乃至２Ａ３の各表示制御手段５は、混雑の始まりとなる８階の乗場表示器６（６Ａ１−８Ｆ、６Ａ２−８Ｆ、６Ａ３−８Ｆ）には、上記運転方向や案内図を表示させない（Ｓ２０８）。
【００４２】
なお、バンクＡの８階及び６階の双方で下方向が混雑していない場合（即ち、下方向で、連続する複数の階床に渡って混雑が発生していない場合）は、図３のＳ１０７の処理と同じである。制御装置２Ａ１乃至２Ａ３の各表示制御手段５は、乗場表示器６Ａ１−７Ｆ、６Ａ２−７Ｆ、６Ａ３−７Ｆに、その階床で混雑が発生している運転方向と、かご内負荷率が低いエレベーターが存在するバンクＣへの案内図とを表示させる（Ｓ２０９）。
【００４３】
また、判定手段９は、Ｓ２０６においてＮｏの判定を行う場合も、次に、Ｓ２０７と同様の処理を行う（Ｓ２１０）。そして、当該バンクにおいて、連続する複数の階床に渡って混雑が発生している場合は（Ｓ２１０のＹｅｓ）、混雑の始まりとなる階以外の混雑階の乗場表示器６に、その階床で混雑が発生している運転方向と、建物内の階段或いはエスカレーターへの案内図とを表示させる（Ｓ２１１）。また、混雑階が同一運転方向で連続していない場合は（Ｓ２１０のＮｏ）、混雑階の乗場表示器６に、その階床で混雑が発生している運転方向と、建物内の階段或いはエスカレーターへの案内図とを表示させる（Ｓ２１２）。
【００４４】
上記構成を有するエレベーターシステムであれば、混雑の始まりとなる階の利用者にはエレベーターを利用してもらい、待ち時間が増えると予想される中間階の利用者のみを、他のバンクや階段に適切に誘導することができる。
【産業上の利用可能性】
【００４５】
この発明に係るエレベーターシステムは、建物に複数のエレベーターバンクが存在する場合に適用することができる。
【符号の説明】
【００４６】
１  群管理装置
２  制御装置
３  負荷率演算手段
４  通信制御手段
５  表示制御手段
６  乗場表示器
７  バンク負荷判定装置
８  記憶手段
９  判定手段
１０  表示指令手段
１１  乗場ドア
１２  乗場釦
【図１】
2012147160.tif 000003
【図２】
2012147160.tif 000004
【図３】
2012147160.tif 000005
【図４】
2012147160.tif 000006
【図５】
2012147160.tif 000007
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
複数のエレベーターバンクが存在する建物において、利用者を誘導するためのエレベーターシステムであって、
前記建物の所定の階床に設けられ、所定のバンクのエレベーター乗場に配置された乗場表示器と、
前記乗場表示器が設置された階床の各エレベーターのかご内負荷率を運転方向毎に管理し、その階床の各バンクの混雑状況を運転方向毎に判定するバンク負荷判定手段と、
を備え、
前記乗場表示器は、所定のバンクにおいて、各階床のエレベーター乗場に設けられ、
前記バンク負荷判定手段は、
前記乗場表示器を備えたバンクが所定の運転方向で混雑し、且つ、同一運転方向で混雑していない他のバンクが存在する場合は、前記乗場表示器に、混雑している運転方向と前記他のバンクへの案内図とを表示させ、
前記乗場表示器を備えたバンクが、所定の運転方向で、連続する複数の階床に渡って混雑する場合は、同一運転方向で混雑していない他のバンクが同一階床に存在する場合であっても、混雑が始まる階床の前記乗場表示器には、混雑している運転方向と前記他のバンクへの案内図とを表示させない
エレベーターシステム。
【請求項２】
（削除）
【請求項３】
（削除）
【請求項４】
複数のエレベーターバンクが存在する建物において、利用者を誘導するためのエレベーターシステムであって、
前記建物の所定の階床に設けられ、所定のバンクのエレベーター乗場に配置された乗場表示器と、
前記乗場表示器が設置された階床の各エレベーターのかご内負荷率を運転方向毎に管理し、その階床の各バンクの混雑状況を運転方向毎に判定するバンク負荷判定手段と、
を備え、
前記バンク負荷判定手段は、
同一バンク内のエレベーターのかご内負荷率が、同一階床の一方の運転方向で全て所定値以上であり、且つ、その状態が所定時間継続した場合に、そのバンクのその階床について、前記一方の運転方向で混雑していることを判定し、
前記乗場表示器を備えたバンクが所定の運転方向で混雑し、且つ、同一運転方向で混雑していない他のバンクが存在する場合は、前記乗場表示器に、混雑している運転方向と前記他のバンクへの案内図とを表示させる
エレベーターシステム。
【請求項５】
前記バンク負荷判定手段は、前記乗場表示器を備えたバンクが所定の運転方向で混雑し、且つ、同一階床及び同一運転方向でかご内負荷率が所定値未満である他のバンクが存在する場合に、前記乗場表示器に、混雑している運転方向と前記他のバンクへの案内図とを表示させる請求項４に記載のエレベーターシステム。
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
複数のエレベーターバンクが存在する建物において、利用者を誘導するためのエレベーターシステムであって、
前記建物の所定の階床に設けられ、所定のバンクのエレベーター乗場に配置された乗場表示器と、
前記乗場表示器が設置された階床の各エレベーターのかご内負荷率を運転方向毎に管理し、その階床の各バンクの混雑状況を運転方向毎に判定するバンク負荷判定手段と、
を備え、
前記乗場表示器は、所定のバンクにおいて、各階床のエレベーター乗場に設けられ、
前記バンク負荷判定手段は、
前記乗場表示器を備えたバンクが所定の運転方向で混雑し、且つ、同一運転方向で混雑していない他のバンクが存在する場合は、前記乗場表示器に、混雑している運転方向と前記他のバンクへの案内図とを表示させ、
前記乗場表示器を備えたバンクが、所定の運転方向で、連続する複数の階床に渡って混雑する場合は、同一運転方向で混雑していない他のバンクが同一階床に存在する場合であっても、混雑が始まる階床の前記乗場表示器には、混雑している運転方向と前記他のバンクへの案内図とを表示させない
エレベーターシステム。
【請求項２】
複数のエレベーターバンクが存在する建物において、利用者を誘導するためのエレベーターシステムであって、
前記建物の所定の階床に設けられ、所定のバンクのエレベーター乗場に配置された乗場表示器と、
前記乗場表示器が設置された階床の各エレベーターのかご内負荷率を運転方向毎に管理し、その階床の各バンクの混雑状況を運転方向毎に判定するバンク負荷判定手段と、
を備え、
前記バンク負荷判定手段は、
同一バンク内のエレベーターのかご内負荷率が、同一階床の一方の運転方向で全て所定値以上であり、且つ、その状態が所定時間継続した場合に、そのバンクのその階床について、前記一方の運転方向で混雑していることを判定し、
前記乗場表示器を備えたバンクが所定の運転方向で混雑し、且つ、同一運転方向で混雑していない他のバンクが存在する場合は、前記乗場表示器に、混雑している運転方向と前記他のバンクへの案内図とを表示させる
エレベーターシステム。
【請求項３】
前記バンク負荷判定手段は、前記乗場表示器を備えたバンクが所定の運転方向で混雑し、且つ、同一階床及び同一運転方向でかご内負荷率が所定値未満である他のバンクが存在する場合に、前記乗場表示器に、混雑している運転方向と前記他のバンクへの案内図とを表示させる請求項２に記載のエレベーターシステム。
【手続補正２】
【補正対象書類名】明細書
【補正対象項目名】０００８
【補正方法】変更
【補正の内容】
【０００８】
この発明に係るエレベーターシステムは、複数のエレベーターバンクが存在する建物において、利用者を誘導するためのエレベーターシステムであって、建物の所定の階床に設けられ、所定のバンクのエレベーター乗場に配置された乗場表示器と、乗場表示器が設置された階床の各エレベーターのかご内負荷率を運転方向毎に管理し、その階床の各バンクの混雑状況を運転方向毎に判定するバンク負荷判定手段と、を備え、乗場表示器は、所定のバンクにおいて、各階床のエレベーター乗場に設けられ、バンク負荷判定手段は、乗場表示器を備えたバンクが所定の運転方向で混雑し、且つ、同一運転方向で混雑していない他のバンクが存在する場合は、乗場表示器に、混雑している運転方向と他のバンクへの案内図とを表示させ、乗場表示器を備えたバンクが、所定の運転方向で、連続する複数の階床に渡って混雑する場合は、同一運転方向で混雑していない他のバンクが同一階床に存在する場合であっても、混雑が始まる階床の乗場表示器には、混雑している運転方向と他のバンクへの案内図とを表示させないものである。
また、この発明に係るエレベーターシステムは、複数のエレベーターバンクが存在する建物において、利用者を誘導するためのエレベーターシステムであって、建物の所定の階床に設けられ、所定のバンクのエレベーター乗場に配置された乗場表示器と、乗場表示器が設置された階床の各エレベーターのかご内負荷率を運転方向毎に管理し、その階床の各バンクの混雑状況を運転方向毎に判定するバンク負荷判定手段と、を備え、バンク負荷判定手段は、同一バンク内のエレベーターのかご内負荷率が、同一階床の一方の運転方向で全て所定値以上であり、且つ、その状態が所定時間継続した場合に、そのバンクのその階床について、一方の運転方向で混雑していることを判定し、乗場表示器を備えたバンクが所定の運転方向で混雑し、且つ、同一運転方向で混雑していない他のバンクが存在する場合は、乗場表示器に、混雑している運転方向と他のバンクへの案内図とを表示させるものである。
【国際調査報告】
2012147160.tif 000008
2012147160.tif 000009
2012147160.tif 000010